(57)【要約】【課題】経路情報の送信処理を削減して、システム全体の経路収束時間の短縮を図ること。【解決手段】経路情報の発信元と遅延タイマ値を対応付けて設定情報データベース１６ａに登録させ、ＢＧＰプロトコル起動時に遅延タイマ値を読み込み処理部１７ｂで読み込み、経路情報受信処理部１７ｃに通知し、経路情報の受信があると、経路情報受信処理部１７ｃは、受信経路情報の発信元に遅延タイマ値が設定されているかどうか判断し、設定されていれば経路情報の送信処理を保留し、また設定されていなければベストパスセレクション処理部１７ｄで最適経路情報の選出を行い、この選出された最適経路情報を経路送信処理部１７ｅの送信処理動作によってＲＴＲに送信する。【選択図】      図２
2005020600.tif 000002
【特許請求の範囲】
【請求項１】
コネクション型通信の経路交換プロトコルを用いてデータ集約装置とデータ中継装置との間でコネクションを張って経路情報の交換を行い、前記交換した経路情報を登録する経路制御方法において、
経路情報の受信があると、予め設定された発信元の情報と、該発信元の情報に対応された設定値とから、前記経路情報を送信した送信元に対応した設定値を検索する検索工程と、
前記設定値が検索された場合に、前記受信された経路情報の送信を一旦保留する保留工程と、
前記保留の解除後に、前記受信された経路情報を前記データベースに登録する登録工程と、
を含むことを特徴とする経路制御方法。
【請求項２】
前記検索工程で、前記経路情報を送信した送信元に対応した設定値が検索されない場合に、前記登録工程では、前記受信された経路情報を前記データベースに登録することを特徴とする請求項１に記載の経路制御方法。
【請求項３】
前記経路制御方法では、前記データベースに登録された経路情報から最適な経路情報を決定する決定工程と、
前記決定された最適経路情報の送信処理を行う送信処理工程と、
をさらに含むことを特徴とする請求項１または２に記載の経路制御方法。
【請求項４】
コネクション型通信の経路交換プロトコルを用いてそれぞれ異なるデータ中継装置とコネクションを張って経路情報の交換を行う経路交換手段と、前記交換した経路情報を登録するデータベースとを有するデータ集約装置において、
予め設定された発信元の情報と、該発信元の情報に対応された設定値とに基づき、前記経路交換手段で受信された経路情報の送信元に対応した設定値を検索する検索手段と、
前記設定値が検索された発信元からの前記経路情報の送信を一旦保留する保留手段と、
前記保留の解除後に、前記保留されていた経路情報を前記データベースに登録する登録手段と、
を備えたことを特徴とするデータ集約装置。
【請求項５】
前記検索手段で、前記経路情報を送信した送信元に対応した設定値が検索されない場合には、前記登録手段は、前記受信された経路情報を前記データベースに登録することを特徴とする請求項４に記載のデータ集約装置。
【請求項６】
前記データ集約装置は、前記データベースに登録された経路情報から最適な経路情報を決定する決定手段と、
前記決定された最適経路情報の送信処理を行う送信処理手段と、
をさらに備えたことを特徴とする請求項４または５に記載のデータ集約装置。
【請求項７】
経路情報の交換を行う経路制御システムにおいて、
データ中継を行うデータ中継装置と、
前記請求項４〜６のいずれか一つに記載のデータ集約装置と、
を備え、前記データ集約装置から前記データ中継装置へ最適な経路情報を送信することを特徴とする経路制御システム。
【発明の詳細な説明】
【０００１】
【発明の属する技術分野】
この発明は、ルーティングの制御機能として冗長性を確保することができるコネクション型通信（Ｃｏｎｎｅｃｔｉｏｎ−Ｏｒｉｅｎｔｅｄ）の経路交換プロトコル、たとえばＩＢＧＰ（Ｉｎｔｅｒｎａｌ  Ｂｏｒｄｅｒ  ＧａｔｅｗａｙＰｒｏｔｏｃｏｌ：ＲＦＣ１９６６）を利用した経路制御方法、データ集約装置および経路制御システムに関するものである。
【０００２】
【従来の技術】
近年のインターネットにおけるＢＧＰ展開では、あるＡＳ（Ａｕｔｏｎｏｍｏｕｓ  Ｓｙｓｔｅｍ）に所属する全てのＩＢＧＰルータは、ＩＢＧＰルータから受信した経路情報を他のＩＢＧＰルータに送信してはいけないように設定されているので、フルメッシュで接続しなければならず、また外部経路情報もこのＡＳに所属する他の全てのルータに配布しなければならないように設定されている。たとえば、ＡＳの中にＮ個のＩＢＧＰルータが存在する場合には、ユニークなＩＢＧＰセッション数を、Ｎ（Ｎ−１）／２個メンテナンスしなければならないので、コネクションの数が増え、経路情報送信によるバックボーンネットワーク上での伝送トラフィックが増大し、またコネクションの管理が煩雑になっていた。なお、このＡＳとは、単一の管理主体によって単一経路制御ポリシーのもとで管理・運用される範囲のことで、たとえばＩＳＰ（Ｉｎｔｅｒｎｅｔ  Ｓｅｒｖｉｃｅ  Ｐｒｏｖｉｄｅｒ：インターネットサービス事業者）がこれに相当する。
【０００３】
このような問題を解決して、このフルメッシュでの接続を軽減させるために、従来では、ＡＳ内に経路情報を集約して中継するデータ集約装置であるルートリフレクタ装置（以下、「ＲＲ装置」という）を用いるものがある。このＲＲ装置は、各ＩＢＧＰルータとＩＢＧＰピアを組んで経路情報の交換を行い、データ通信を可能にしている。たとえば図５の例に示すように、ＡＳのバックボーンネットワーク１０上に、複数のＲＲ装置１１〜１４を設ける。このＲＲ装置のうち、ＲＲ装置（以下、「上位ＲＲ装置」という）１１，１２は、ＲＲ装置（以下、「下位ＲＲ装置」という）１３，１４を、ルートリフレクタクライアントとして、下位ＲＲ装置１３，１４に対して冗長構成をとる。このシステムでは、上述した冗長構成をとるため、下位ＲＲ装置１３，１４は、上位ＲＲ装置１１，１２のいずれか一方とセッションが切れても経路を保持することが可能となる。
【０００４】
また、これらＲＲ装置１３，１４は、各ＩＢＧＰルータ（以下、「ＲＴＲ」という）２１〜２４をＲＲクライアントとして、当該ＲＴＲ２１〜２４との間でコネクションを張って伝送路で接続させ、この伝送路を介して経路情報の交換を行っている。これらＲＲ装置１３，１４は、受信した経路情報を集約して、各ＲＴＲ２１〜２４に経路情報をそれぞれ送信している。
【０００５】
ここで、たとえばＲＴＲ２３，２４側からＲＴＲ２１，２２側への経路情報の流れを図６に示すと、以下のような流れになる。
▲１▼ＲＴＲ２３，２４は、ＡＳ外経路情報を下位ＲＲ装置１４に送信する。
▲２▼下位ＲＲ装置１４は、ＲＴＲ２３，２４から受信した経路情報を上位ＲＲ装置１１，１２に反射する。
▲３▼上位ＲＲ装置１１，１２は、下位ＲＲ装置１４から受信した経路情報を下位ＲＲ装置１３に反射する。
▲４▼下位ＲＲ装置１３は、ＲＴＲ２１，２２に対して経路情報を反射する。
【０００６】
このような場合に、下位ＲＲ装置１３は、ＲＴＲ２３に接続されたエッジルータ２５を経由したネットワークＡへの経路情報を２つ（上位ＲＲ装置１１経由と上位ＲＲ装置１２経由）保持しており、下位ＲＲ装置１３は、この２つの経路情報のうち、最適経路（ベストパス）のみを選出してＲＴＲ２１，２２に送信している。なお、このベストパスは、経路収束状態において、たとえば上位ＲＲ装置１１，１２のアドレスの小さいものを一意にベストパスとして選出する。
【０００７】
【特許文献１】
特開平１１−１６８４９２号公報
【０００８】
【発明が解決しようとする課題】
しかしながら、ＲＲ装置の起動時には、他のＩＢＧＰルータとのセッションの確立は、ほぼ同時に行われ、セッションの確立する順番は、ネットワークの混雑状況などに応じて異なっている。このため、この例では、下位ＲＲ装置１３が起動時に、上位ＲＲ装置１１から先にネットワークＡへの経路情報を受信した場合には、この経路情報をベストパスとしてＲＴＲ２１，２２に送信するので問題ないが、上位ＲＲ装置１２から先にネットワークＡへの経路情報を受信した場合には、この経路情報をベストパスとしてＲＴＲ２１，２２に送信し、次に上位ＲＲ装置１１からネットワークＡへの経路情報を受信すると、この経路情報が実際のベストパスなので、この経路情報をＲＴＲ２１，２２に送信することとなり、経路情報を２重に送信することとなるという問題点があった。
【０００９】
このため、たとえば上位ＲＲ装置１１，１２から５０万ずつの経路情報を受信した場合には、５０万×１００ピア×２＝１億個もの経路情報の送信処理を行う必要があり、この送信処理のために、システム全体の経路収束時間が著しく遅くなるという問題点があった。
【００１０】
この発明は、上記問題点に鑑みなされたもので、経路情報の送信処理を削減して、システム全体の経路収束時間の短縮を図ることができる経路制御方法、データ集約装置および経路制御システムを提供することを目的とする。
【００１１】
【課題を解決するための手段】
上記目的を達成するため、請求項１にかかる経路制御方法では、コネクション型通信の経路交換プロトコルを用いてデータ集約装置とデータ中継装置との間でコネクションを張って経路情報の交換を行い、前記交換した経路情報を登録する経路制御方法において、経路情報の受信があると、予め設定された発信元の情報と、該発信元の情報に対応された設定値とから、前記経路情報を送信した送信元に対応した設定値を検索する検索工程と、前記設定値が検索された場合に、前記受信された経路情報の送信を一旦保留する保留工程と、前記保留の解除後に、前記受信された経路情報を前記データベースに登録する登録工程とを含むことを特徴とする経路制御方法が提供される。
【００１２】
この発明によれば、受信経路情報の送信元に対応した決定値が検索された場合、つまり受信経路情報が非ベスト側からの情報の場合には、この受信経路情報の送信を一旦保留して、この保留の解除後にデータベースに登録することで、経路情報の送信処理を削減する。
【００１３】
また、請求項２にかかる経路制御方法においては、前記検索工程で、前記経路情報を送信した送信元に対応した設定値が検索されない場合に、前記登録工程では、前記受信された経路情報を前記データベースに登録することを特徴とする。
【００１４】
この発明によれば、受信経路情報の送信元に対応した決定値が検索されない場合、つまり受信経路情報がベスト側からの情報の場合には、直接データベースに登録することで、経路情報の送信処理を可能にする。
【００１５】
また、請求項３にかかる経路制御方法では、前記データベースに登録された経路情報から最適な経路情報を決定する決定工程と、前記決定された最適経路情報の送信処理を行う送信処理工程とをさらに含むことを特徴とする。
【００１６】
この発明によれば、データベースに登録された経路情報から最適な経路情報を決定し、この最適経路情報をデータ中継装置であるＲＴＲへ送信するための送信処理を行うことで、経路情報の送信処理を削減する。
【００１７】
また、請求項４にかかるデータ集約装置では、コネクション型通信の経路交換プロトコルを用いてそれぞれ異なるデータ中継装置とコネクションを張って経路情報の交換を行う経路交換手段と、前記交換した経路情報を登録するデータベースとを有するデータ集約装置において、予め設定された発信元の情報と、該発信元の情報に対応された設定値とに基づき、前記経路交換手段で受信された経路情報の送信元に対応した設定値を検索する検索手段と、前記設定値が検索された発信元からの前記経路情報の送信を一旦保留する保留手段と、前記保留の解除後に、前記保留されていた経路情報を前記データベースに登録する登録手段とを備えたことを特徴とするデータ集約装置が提供される。
【００１８】
この発明によれば、検索手段によって受信経路情報の送信元に対応した決定値が検索された場合、つまり受信経路情報が非ベスト側からの情報の場合には、保留手段でこの受信経路情報の送信を一旦保留して、この保留の解除後に、登録手段によってデータベースに登録することで、経路情報の送信処理を削減する。
【００１９】
また、請求項５にかかるデータ集約装置では、前記検索手段で、前記経路情報を送信した送信元に対応した設定値が検索されない場合には、前記登録手段は、前記受信された経路情報を前記データベースに登録することを特徴とする。
【００２０】
この発明によれば、検索手段によって受信経路情報の送信元に対応した決定値が検索されない場合、つまり受信経路情報がベスト側からの情報の場合には、登録手段で受信経路情報を直接データベースに登録することで、経路情報の送信処理を可能にする。
【００２１】
また、請求項６にかかるデータ集約装置は、前記データベースに登録された経路情報から最適な経路情報を決定する決定手段と、前記決定された最適経路情報の送信処理を行う送信処理手段とをさらに備えたことを特徴とする。
【００２２】
この発明によれば、決定手段によってデータベースに登録された経路情報から最適な経路情報を決定し、この最適経路情報をデータ中継装置であるＲＴＲへ送信するための送信処理を送信処理手段で行うことで、経路情報の送信処理を削減する。
【００２３】
また、請求項７にかかる経路制御システムでは、経路情報の交換を行う経路制御システムにおいて、データ中継を行うデータ中継装置と、前記請求項４〜６のいずれか一つに記載のデータ集約装置とを備え、前記データ集約装置から前記データ中継装置へ最適な経路情報を送信することを特徴とする経路制御システムが提供される。
【００２４】
この発明によれば、受信経路情報の送信元に対応した決定値が検索された場合、つまり受信経路情報が非ベスト側からの情報の場合には、この受信経路情報の送信を一旦保留して、この保留の解除後にデータベースに登録し、このデータベースに登録された経路情報から最適な経路情報を決定し、この最適経路情報をデータ中継装置であるＲＴＲへ送信するための送信処理を行うことで、最適経路情報の送信を可能にする。
【００２５】
【発明の実施の形態】
以下に図１〜図４の添付図面を参照して、この発明にかかる経路制御方法、データ集約装置および経路制御システムの好適な実施の形態を説明する。なお、この発明にかかる経路制御システムの構成は、図５および図６に示した構成と同様の構成である。また、以下の図において、図５および図６と同様の構成部分に関しては、説明の都合上、同一符号を付記するものとする。
【００２６】
（実施の形態）
図１は、ＲＲ装置の概略構成を示す概略構成図である。図１において、ＲＲ装置１１〜１４は、たとえば図示しないセンタ局からの設定情報を受信して、この設定情報を設定情報データベース１６ａに登録する設定処理部１６と、この設定情報を読み込むとともに、ＩＢＧＰピアとの間で経路情報の交換を行って受信した経路情報を経路情報データベース１７ａに登録するＩＢＧＰ処理部１７と、ＩＢＧＰ処理部１７からの最適経路情報を取り込んで経路情報データベース１８ａに登録する中継処理部１８とから構成されている。なお、設定情報の入力は、たとえばキーボードなどの入力手段を使用して、ＲＲ装置１１〜１４に直接行うことも可能である。
【００２７】
設定処理部１６は、入力する設定情報、たとえば送信元のアドレス情報と、このアドレス情報に対応した設定値（遅延タイマ値）とを、設定情報データベース１６ａに登録している。この設定情報データベース１６ａに登録された設定情報は、たとえばＲＲ装置のＢＧＰのプロトコルの起動時に、ＩＢＧＰ処理部１７に読み込まれる。
【００２８】
ＩＢＧＰ処理部１７は、図２に示すように、経路情報データベース１７ａの他に、設定情報データベース１６ａから設定値の読み込み処理を行う読み込み処理部１７ｂと、経路情報の受信処理を行う経路情報受信処理部１７ｃと、経路収束状態において最適経路の選出処理を行うベストパスセレクション処理部１７ｄと、経路情報の送信処理を行う経路情報送信処理部１７ｅと、対応する設定値が検索された経路情報を一旦記憶する保留経路情報データベース１７ｆと、設定値である遅延タイマを計数してタイマ管理を行う遅延タイマ管理部１７ｇとから構成されている。
【００２９】
すなわち、ＩＢＧＰ処理部１７では、予め設定された設定情報により、非ベストパス側の上位ＲＲ装置、この実施の形態では、たとえば図５に示した上位ＲＲ装置１２から受信した経路情報の最適経路の選出処理を遅延させる遅延タイマ値を、読み込み処理部１７ｂが設定情報データベース１６ａから読み込む。そして、ベストパス側の上位ＲＲ装置１１よりも先に、この上位ＲＲ装置１２から経路情報を受信した場合には、経路情報受信処理部１７ｃが、受信経路情報を保留経路情報データベース１７ｆに一旦記憶させ、遅延タイマ管理部１７ｇがこのタイマ値の計数を行い、ベストパスセレクション処理部１７ｄによる最適経路の選出および経路情報送信処理部１７ｅによる経路送信処理を保留する。そして、ベストパス側の上位ＲＲ装置１１からの経路情報の受信またはタイマの満了時に、ベストパスセレクション処理部１７ｄによる最適経路の選出および経路情報送信処理部１７ｅによる経路送信処理を実行するものである。なお、遅延タイマ値は、上位ＲＲ装置１１との間で交換される経路情報の交換時間よりも、長めの時間に設定されている。
【００３０】
中継処理部１８は、経路情報データベース１８ａを備えており、たとえばＯＳＰＦ（Ｏｐｅｎ  Ｓｈｏｒｔｅｓｔ  Ｐａｔｈ  Ｆｉｒｓｔ）経路制御用プロトコルを用いてＲＲクライアントであるＩＢＧＰピア以外のルータと経路情報の交換を行い、この経路情報データベース１８ａに格納するとともに、ＩＢＧＰ処理部１７から入力する最適経路情報をこの経路情報データベース１８ａに格納している。
【００３１】
次に、ＩＢＧＰ処理部１７と遅延タイマ管理部１７ｇの処理動作を図３および図４のフローチャートに基づいて説明する。なお、この実施の形態では、図６の経路情報の流れを参照し、下位ＲＲ装置１３における処理動作を説明する。図３において、まず下位ＲＲ装置１３におけるＩＢＧＰ処理部１７によるＢＧＰのプロトコルが起動すると（ステップ１０１）、読み込み処理部１７ｂは、設定情報データベース１６ａから設定値の読み込み、この設定値を経路情報受信処理部１７ｃに通知する（ステップ１０２）。
【００３２】
次に、経路情報受信処理部１７ｃは、ＢＧＰの経路情報が受信されると（ステップ１０３）、通知された設定値を検索して、この受信された経路情報の送信元に遅延タイマ値が設定されているかどうか判断する（ステップ１０４）。
【００３３】
ここで、経路情報受信処理部１７ｃは、受信経路情報の送信元に遅延タイマ値が設定されている場合には、非ベストパス側の上位ＲＲ装置１２からの経路情報の受信と判断して、受信経路情報を保留経路情報データベース１７ｆに一旦記憶するとともに、遅延タイマ管理部１７ｇに遅延タイマの設定を行い（ステップ１０５）、ステップ１０３に戻って、次の経路情報の受信を待つ。また、経路情報受信処理部１７ｃは、受信経路情報の送信元に遅延タイマ値が設定されていない場合には、ベストパス側の上位ＲＲ装置１１からの経路情報の受信と判断して、この経路情報をベストパスセレクション処理部１７ｄに送出して、ベストパスセレクション処理部１７ｄによる最適経路情報の選出を実行させる（ステップ１０６）。すなわち、経路情報受信処理部１７ｃでは、非ベストパス側の上位ＲＲ装置１２からの経路情報は保留経路情報データベース１７ｆに送出し、ベストパス側の上位ＲＲ装置１１からの経路情報はベストパスセレクション処理部１７ｄに送出している。
【００３４】
ところで、ステップ１０５において、経路情報受信処理部１７ｃから遅延タイマの設定を受けると、図４のフローチャートに示すように、遅延タイマの設定がなされたかどうか判断し（ステップ２０１）、この設定がなされると、設定されたタイマ値を保存するとともに、このタイマ値に基づいて、内部に設けられたタイマを作動させる（ステップ２０２）。そして、遅延タイマが満了すると（ステップ２０３）、このタイマ値を削除するとともに、ベストパスセレクション処理部１７ｄにタイマ満了の通知を行う（ステップ２０４）。
【００３５】
ベストパスセレクション処理部１７ｄは、ステップ１０６における経路情報の入力およびステップ２０４におけるタイマ満了の通知を受けると、最適経路情報の選出を実行する。すなわち、ベストパスセレクション処理部１７ｄは、遅延タイマ管理部１７ｇからタイマ満了の通知があると、該当する経路情報を保留経路情報データベース１７ｆから経路情報データベース１７ａに登録するように、登録指示を送出した後に、この経路情報データベース１７ａに登録された経路情報を読み出して、最適経路情報の選出を行う。また、経路情報受信処理部１７ｃから経路情報の入力があると、ベストパスセレクション処理部１７ｄは、経路情報データベース１７ａから登録されている経路情報を読み出し、最適経路情報の選出を行った後に、当該選出結果がベストパスかどうか判断する（ステップ１０７）。
【００３６】
ここで、ベストパスセレクション処理部１７ｄは、選出結果がベストパスではない場合には、ステップ１０３に戻って、次の経路情報の受信を待つ。また、この選出結果がベストパスの場合には、当該経路情報を経路情報データベース１７ａに登録するとともに、当該経路情報を経路情報送信処理部１７ｅに送出し、経路情報送信処理部１７ｅからＲＲクライアントのＲＴＲにこの経路情報を反射し（ステップ１０８）、ステップ１０３に戻って、次の経路情報の受信を待つ。
【００３７】
このように、この実施の形態では、経路情報の発信元と遅延タイマ値を対応付け、ＢＧＰプロトコル起動時に遅延タイマ値を読み込み、経路情報受信処理部に通知し、経路情報の受信があると、経路情報受信処理部は、受信経路情報の発信元に遅延タイマ値が設定されているかどうか判断し、設定されていれば経路情報の送信処理を保留し、また設定されていなければ最適経路情報の選出を行い、この選出された最適経路情報をＲＴＲに送信するので、非ベストパス側のＲＲ装置から先に経路情報の受信があっても、この経路情報の送信処理を保留してベストパス側からの経路受信またはタイマの満了時に、最適経路選出および経路送信処理を行うことができ、これによって経路情報の送信処理を１回に削減できるとともに、このＲＲ装置を経路制御システムに用いることにより、システム全体の経路収束時間の短縮を図ることができる。
【００３８】
この発明は、これら実施形態に限定されるものではなく、この発明の要旨を逸脱しない範囲で種々の変形実施が可能である。たとえば、非ベストからの経路情報を保留経路情報データベースに記憶させずに、直接経路情報データベースに登録させ、かつこの経路情報に送信処理保留を示すフラグなどを立てておき、タイマ満了時にこのフラグを削除するように、設定することも可能である。この場合には、上述した実施の形態と同様の効果を得ることができるとともに、データベースの容量の削減および製作コストの削減を図ることができる。
【００３９】
また、この実施の形態では、下位ＲＲ装置の処理動作を説明したが、この発明はこれに限らず、たとえば上位ＲＲ装置に関しても、同様の処理動作で非ベストパス側から受信した経路情報の送信を保留することが可能である。
【００４０】
【発明の効果】
以上説明したように、この発明では、経路情報の受信があると、予め設定された発信元の情報と、該発信元の情報に対応された設定値とから、前記経路情報を送信した送信元に対応した設定値を検索し、設定値が検索された場合に、受信された経路情報の送信を一旦保留にし、保留の解除後に、受信経路情報をデータベースに登録するので、経路情報の送信処理を削減できるとともに、このデータ集約装置を経路制御システムに用いることで、システム全体の経路収束時間の短縮を図ることができる。
【図面の簡単な説明】
【図１】ルートリフレクタの概略構成を示す概略構成図である。
【図２】図１に示したＩＢＧＰ処理部の構成を示す構成図である。
【図３】図２に示したＩＢＧＰ処理部の動作を説明するためのフローチャートである。
【図４】図２に示した遅延タイマ管理部の動作を説明するためのフローチャートである。
【図５】経路制御システムの構成を示す構成図である。
【図６】図５に示した経路制御システムの経路情報の流れを示す構成図である。
【符号の説明】
１０  バックボーンネットワーク
１１〜１４  ＲＲ装置（ルートリフレクタ装置）
１６  設定処理部
１６ａ  設定情報データベース
１７  ＩＢＧＰ処理部
１７ａ，１８ａ  経路情報データベース
１７ｂ  読み込み処理部
１７ｃ  経路情報受信処理部
１７ｄ  ベストパスセレクション処理部
１７ｅ  経路情報送信処理部
１７ｆ  保留経路情報データベース
１７ｇ  遅延タイマ管理部
１８  中継処理部
２１〜２４  ＲＴＲ
２５  エッジルータ
Ａ  ネットワーク
【図１】
2005020600.tif 000003
【図２】
2005020600.tif 000004
【図３】
2005020600.tif 000005
【図４】
2005020600.tif 000006
【図５】
2005020600.tif 000007
【図６】
2005020600.tif 000008